(57)【要約】【課題】電子黒板装置の複数の筆記面を高速に移送、交換することを可能とすると共に、筆記面に資料を配置した状態で、読取動作を行うことが可能な電子黒板装置に関する。【解決手段】本発明は、上記課題を解決するため、本発明は、マーカーによって筆記されるエンドレス筆記シートと、この筆記シートの筆記面の裏面に配置されたパネルと、このパネル及び前記筆記シートを保持する本体と、前記筆記シートの筆記面に筆記された画像を読み取る自走式読取装置と、操作手段とを有する電子黒板装置であって、前記読取装置は横方向に移送され、前記筆記シートは縦方向に移送されることを特徴としている。【選択図】図１
2009269385.tif 000002
【特許請求の範囲】
【請求項１】
マーカーによって筆記されるエンドレス筆記シートと、この筆記シートの筆記面の裏面に配置されたパネルと、このパネル及び前記筆記シートを保持する本体と、前記筆記シートの筆記面に筆記された画像を読み取る自走式読取装置と、操作手段とを有する電子黒板装置であって、前記読取装置は横方向に移送され、前記筆記シートは縦方向に移送されることを特徴とする電子黒板装置。
【請求項２】
前記パネルは、金属材で構成されていることを特徴とする請求項１項記載の電子黒板装置。
【請求項３】
前記エンドレスシートは、モータによる自動移送モードと、手動移送モードとを有することを特徴とする請求項１項記載の電子黒板装置。
【発明の詳細な説明】
【技術分野】
【０００１】本発明は、会議などに用いられる、筆記ボード或いは筆記ボードとプリンタとからなる電子黒板装置に関するものである。
【背景技術】
【０００２】従来の電子黒板装置は、白色の書込みシートに、マーカーで文字や図形を筆記すると共に、この筆記した表面を光学センサーにて画像情報として読み取り、読み取った画像情報を縮小して紙に印刷し、或いは記録する機能を有することを特徴としている。【０００３】電子黒板装置の読み取り動作には、大きく分けて２つのタイプがある。
第１に、読取装置を固定して、筆記シートを移送することで読取動作を行うもの。第２に筆記シートを固定して、或いは固定した筆記ボードを用いて、読取装置を移動することにより読取動作を行うものである。
また、読取装置にも２つのタイプがあり、小さなＣＣＤセンサを用い、筆記面の画像を縮小して撮像するものと、筆記面の１辺に相当する密着イメージセンサを用い、筆記面の画像をそのまま撮像するものがある。【０００４】これらの異なるタイプの電子黒板は、それぞれ特色を有し、例えば、筆記シートを移送するタイプでは、一般的には読み取り装置を本体の背後に固定するため、本体が厚くなり薄型化が困難であるが、読取面とセンサとの間の距離を多きく取り、小型の安価なセンサを利用可能なため、低コストで製造可能である。
一方、読取装置を移動するタイプでは、読取装置の厚さを除けば、電子黒板装置本体の厚さは極めて小さくでき、薄型化が可能となるが、筆記シートの１辺を読み取る大きさの密着イメージセンサが必要となり、高コストとなる。【０００５】
【特許文献１】特開平０２−２６５０５９号
【特許文献２】特開平１１−０４２８９０号
【発明の開示】
【発明が解決しようとする課題】
【０００６】特許文献１には、固定された筆記面に対して、走行する読取装置を移動させて読み取る電子黒板装置が示されている。
この装置では、筆記面を鉄性の金属板で構成することが可能であり、磁石によって、紙の資料をこの筆記板に固定して、筆記画像と共に、磁石で固定した資料を読み取ることが可能である。
しかしながら、この電子黒板では、筆記できる面が固定されているため、１面しか利用することができない。
また、裏面にも筆記面を設けたものもあるが、この場合、面をひっくり返さなければならないため、大きな空間を必要とする。
更に、このひっくり返す際に、読取装置に筆記板をぶつけてしまい、読取装置を破損させてしまうことがある。【０００７】これに対して、上記特許文献２には、筆記シートを移送して、本体の裏面に固定された読取装置で、筆記面を縮小して読み取る電子黒板装置が示されている。
この電子黒板装置は、筆記シートの裏面に金属パネルを配置したとしても、磁石で固定した資料を読み取ることはできない。
それは、読取が筆記シートの移送動作によって行われるため、磁石で固定した資料が、シートの移送動作によって、引き剥がされてしまうからである。
このため、この電子黒板においては、利用者が、誤って資料を磁石で固定した状態で読取動作を開始して、資料を飛散させてしまうことを防止するために、筆記シートの裏面に配置されるパネルは、樹脂製のパネルとして、磁石によって資料を固定できない構造としている。
【課題を解決するための手段】
【０００８】上記課題を解決するため、本発明は、マーカーによって筆記されるエンドレス筆記シートと、この筆記シートの筆記面の裏面に配置されたパネルと、このパネル及び前記筆記シートを保持する本体と、前記筆記シートの筆記面に筆記された画像を読み取る自走式読取装置と、操作手段とを有する電子黒板装置であって、前記読取装置は横方向に移送され、前記筆記シートは縦方向に移送されることを特徴としている。【０００９】また、樹脂製の筆記シートの裏に金属パネルを配置することで、磁石によって、資料を配置することを可能とし、また、手動で筆記シートを移送することを可能としている。
【発明の効果】
【００１０】本発明によれば、大きな空間を必要とせず、容易に筆記面を２面利用することを可能とすると共に、筆記面に配置された資料をも読み取ることが可能となる。
また、短時間に筆記面を交換することが可能となる。
【発明を実施するための最良の形態】
【００１１】以下、本発明を実施するための最良の形態について、図面を参照して詳細に説明する。
【実施例】
【００１２】以下、図に沿って本発明の一実施例を説明する。
図１は本発明の一実施例を示す斜視図である。
１は電子黒板本体、２は本体の表面において、マーカーによって書き込みを行う筆記シートであり、３は筆記シート２の筆記面を読み取る読取装置、４は読み取り動作や、図示しないプリンタに、読み取った筆記画像を出力するための操作手段としての操作パネル、５は図示しないプリンタを接続するための端子、６は図示しないパーソナルコンピュータを接続するための端子である。【００１３】本実施例の読取装置３は、本体１に着脱可能に配置され、自ら矢印Ｂで示すように、右端から左端へ水平に移動して、筆記シート２の筆記面を読み取る方式の読取装置である。
この読取装置３の内部には、ライン状光源及び密着センサ（ＣＩＳと言われている）が内蔵され、この読取装置３の表面下部には操作パネル４が設けられている。【００１４】筆記シート２は、環状にエンドレスシートを構成し、図示しない２本のローラによって本体１の上下端で支持されており、表面に露出した面と、装置本体の裏に回り込んだ面の２面が筆記面として利用される。
筆記シート２の、これら２つの面は、図示しないモーターがローラの１つを回転駆動することによって、図中矢印Ａで示される上下方向に移送され、筆記面が切り替わる。【００１５】尚、本実施例の読取装置３は、操作パネル４を一体構成としている。
また、この読取装置３の中央付近に読取スイッチを有し、この読取スイッチを押すことで、自動的に筆記シート全面を読み取るモードと、読取スイッチを押しながら、手動で部分的に筆記面の読取動作を行うモードとを有している。【００１６】図２は、本体１から筆記シート２を取り出した斜視図を示している。
帯状に設けられたエンドレス筆記シートは、第１のローラ８及び第２のローラによって保持される。
尚、第１のローラの左短部には、図示しないモータの回転軸とベルトで接続されており、モータの回転によって、第１のローラは正逆回転を行い、筆記シート２は、上あるいは下方向に移送される。
また、手動で筆記シート２を上或いは下に押した場合、図示しないモータと接続しているベルトが緩み、僅かな力で筆記シートを移送可能としている。
この手動モードで筆記シート２を移送できるため、筆記したい面を少しずつ移送して、筆記していくような利用が可能となる。【００１７】このエンドレス筆記シート２及び、第１、第２のローラの間には、鉄性の金属プレート１０が配置されている。
この金属プレート１０は、マーカーによる筆記圧を受け止め、筆記面を固定することで、筆記しやすくすると共に、筆記面に磁石を吸着可能としている。【００１８】読取装置３は、筆記シート２から離間して一定の距離を保ちながら、左右に移送されることで、筆記面が読み取るられる。
このため、磁石などを筆記面に配置しても、障害物となることはなく、読取動作は行われる。
従来の筆記シートを用いる電子黒板では、筆記シートの移送と筆記面の読取動作は一体不可分の関係にあったが、本実施例では、それぞれが独立して行われる。
このため、従来は、読取動作の速度以上の速度で筆記シートを移送することはできなかったが、本実施例によると例えば、手動で一気に筆記シートを移送し、筆記面を交換することが可能となる。
また、筆記シートの移送方向を、上下方向としているため、短い移送距離で済むため、更に早く筆記面を交換することが可能となる。
更に、読取動作時は、筆記シート２の移動を防ぐために、筆記シード２をロックする機構を設けてもよい。【００１９】尚、電子黒板をパソコンの周辺機器として、パソコンだけで筆記シートの移送、筆記面の読み取り、図示しないプリンタでの印刷操作を行うことも可能である。【００２０】図３に、第２の実施例を示す。
この実施例では、読取装置３と操作パネル４とは別体で構成されている。
また、操作パネル４は着脱可能に配置されている。
尚、１０は、操作パネル４の接続用端子である。
これらの、電子黒板本体と、操作パネルやパソコンとの接続は、無線通信によって行っても良い。
無線通信を行う場合は、操作パネル４はリモコンとしても利用可能となる。
また、上述した各実施例において、プリンタは図示していないが、電子黒板装置の底面に設けられた接続端子に接続される。【００２１】読取装置３は、本体１の上部に設けられたレールに沿って、移動可能に配置されている。
読取装置３の操作パネル４に設けられた読取スイッチをオンにすると、図示しないモータによって横方向に移動され、筆記面が順次ライン状に読み取られる。【００２２】本発明は、上述の実施例に限定されるものではなく、例えば、電子黒板本体や読取装置、操作パネルの形状、はこれに限定されるものではない。
また、本体１の側面に設けられた各接続端子の位置もこれに限定されるものではない。
更に、本体には、外部記憶媒体、例えばＵＳＢメモリなどを接続するための接続端子を設けてもよい。
【産業上の利用可能性】
【００２３】本発明は、上下方向に筆記シートを移送する構造としたことで、短い距離の移送で筆記面を交換でき、また、読取装置を左右に移動する構造としたことで、筆記面に磁石による資料の配置をした状態で読取動作が可能となる。また、筆記面の交換に余分な空間を必要とせず、実質的な配置空間を小さくすることが可能となる。
【図面の簡単な説明】
【００２４】
【図１】図１は、本発明の実施例の形態に係る主要な構成を示す斜視図である。
【図２】図２は、本発明の実施例の本体から筆記シート部を取外した状態を示す斜視図である。
【図３】図３は、本発明の第２の実施例の形態に係る斜視図である。
【符号の説明】
【００２５】１：電子黒板本体
２：筆記シート
３：読取装置
４：操作手段（パネル）
【図１】
2009269385.tif 000003
【図２】
2009269385.tif 000004
【図３】
2009269385.tif 000005